(57)【要約】【課題】  容易に組み立てを行い、空間を最も有効に使用でき、利便性及び機能性を向上させることができる収納棚を提供することを目的とする。【解決手段】  本考案は収納棚の構造を提供するもので、隔板と壁板と載板とからなり、隔板は薄板を折り曲げ、上下端にそれぞれ開き口を有する１つの中空状の厚板形状に形成し、左、右両側に薄板を有し、薄板の上、底端に相対して端縁及び凹端縁を有し、薄板の後側端近く上下に間隔を開けて、嵌入溝を有し、壁板は薄板構造で、両側端縁に隔板の嵌入溝に嵌入する突嵌部を、間隔を開けて上下に有し、両側面に設置される隔板の後側端と連結し、載板は厚板で、両側の前後縁にそれぞれ嵌合溝を有し、嵌合溝は隔板の左、右両側の薄板の上、底の端縁に嵌合し、載板の嵌合溝を隔板の端縁に嵌合させ、隔板の凹端縁が載板端部を垂直方向に支える構造により嵌合を安定固定させ、隔板と壁板と載板を組み立てて形成する構成とされる。【選択図】  図１
0003102887.tif 000002
【実用新案登録請求の範囲】
【請求項１】
１つ以上の隔板と１つ以上の壁板と１つ以上の載板とからなり、
上記隔板は、１枚の薄板を折り曲げ、上下端にそれぞれ開き口を有する１つの中空状の厚板形状に形成し、左、右両側に上記薄板を有し、上記左、右両側の上記薄板の上、底端に相対して端縁及び凹端縁を有し、且つ、左、右両側の上記薄板の後側端近くに上下に間隔を開けて、相対する嵌入溝を有し、
上記壁板は１つの薄板構造で、両側端縁に上記隔板の嵌入溝に嵌入する突嵌部を、間隔を開けて上下に２つずつ有することにより、両側面に設置される２つの上記隔板の後側端と連結し、
上記載板は１つの厚板で、両側の前後縁にそれぞれ嵌合溝を有し、上記嵌合溝は上記隔板の左、右両側の上記薄板の上、底の端縁に嵌合し、
上記載板の上記嵌合溝を上記隔板の上記端縁に嵌合させたとき、上記隔板の上記凹端縁が上記載板端部を垂直方向に支える構造により嵌合を安定固定させ、
上記隔板と上記壁板と上記載板を組み立てて形成することを特徴とする収納棚。
【考案の詳細な説明】
【技術分野】
【０００１】
本考案は収納棚に係るものであり、特に、嵌合式収納棚を形成することができ、且つ、縦及び横方向の延長が可能な収納棚の構造を提供する収納棚に係るものである。
【背景技術】
【０００２】
従来、市販されている大部分の収納棚は、実際に組み立てて使用する時、縦方向の立架及び横方向の層架から構成されている。このような立架及び層架による多層構造形態の収納棚を組み立てる時、一般的には、たくさんのネジ、ボルト、ワッシャー、ナットを使用し、組み立てる必要がある。さらに、層架を固定する為の固定部を必要としている。
【０００３】
また、大部分の収納棚の構造形態は、一定の高さに設計されている為、使用形態が固定され、使用者が必要とする使用できる空間に合わせてサイズを調整変化させることはできない。このため、サイズの合う収納棚を見つけて、使用できる空間内に設置して使用している。
【０００４】
このような従来の収納棚の構造は、組み立てと便利性の問題を解決しておらず、欠点を改良した構造の収納棚を開発するかが、関係業者では開発目標となっている。
【考案の開示】
【考案が解決しようとする課題】
【０００５】
しかしながら、従来の収納棚を組み立てる時、上記のように手間がかかると共に、組み立てられた固定するための構成が必要となってしまう。更に、組み立てる時、１人で角度を固定しながら組み立てるのは難しいため、他の人に協力してもらい組み立てる必要があり、組み立てる際の便利性にかけると言う欠点があった。
【０００６】
また、上記のように、大部分の収納棚は一定の高さに設計されている為、使用者が必要とする使用できる空間に合わせてサイズを調整変化させることはできず、機能性に欠けるという欠点があった。また、使用者が収納棚を買う時、収納棚が使用できる空間内に設置できるがとうか判断する必要があり、空間に合わせて収納棚のサイズを変化させると言うよりはサイズの替えられない収納棚を空間内に設置できるようサイズを選んで設置するという状況であり、空間を最も有効に使用できる方法ではないという欠点があった。
【０００７】
従って、本考案は、容易に組み立てを行い、空間を最も有効に使用でき、利便性及び機能性を向上させることができる収納棚を提供することを目的とする。
【課題を解決するための手段】
【０００８】
前記の目的を図るために、請求項１に記載されるように、本考案は、１つ以上の隔板と１つ以上の壁板と１つ以上の載板とからなり、上記隔板は、１枚の薄板を折り曲げ、上下端にそれぞれ開き口を有する１つの中空状の厚板形状に形成し、左、右両側に上記薄板を有し、上記左、右両側の上記薄板の上、底端に相対して端縁及び凹端縁を有し、且つ、左、右両側の上記薄板の後側端近くに上下に間隔を開けて、相対する嵌入溝を有し、上記壁板は１つの薄板構造で、両側端縁に上記隔板の嵌入溝に嵌入する突嵌部を、間隔を開けて上下に２つずつ有することにより、両側面に設置される２つの上記隔板の後側端と連結し、上記載板は１つの厚板で、両側の前後縁にそれぞれ嵌合溝を有し、上記嵌合溝は上記隔板の左、右両側の上記薄板の上、底の端縁に嵌合し、上記載板の上記嵌合溝を上記隔板の上記端縁に嵌合させたとき、上記隔板の上記凹端縁が上記載板端部を垂直方向に支える構造により嵌合を安定固定させ、上記隔板と上記壁板と上記載板を組み立てて形成することにより、容易に組み立てを行い、空間を最も有効に使用でき、利便性及び機能性を向上させることができる。
【考案の効果】
【０００９】
本考案の収納棚において、本考案は、多連接、多層の収納棚形態を構成することが可能であり、且つ、組み立て及び分解が簡単であり、使用者の目的に合わせ、異なる形状の収納棚を簡単に組み立てることができ、実用的な収納棚の構造を提供することができる。
【考案を実施するための最良の形態】
【００１０】
以下に添付図面を参照して本考案のある好適な実施の形態を詳細に説明するが、それらの構成は本考案の構造の絶対的な制限にならない。
【００１１】
図１は、本考案の第１実施例に係る収納棚を示す分解斜視図である。図１に示す本考案の収納棚は、主に、１つ以上の隔板１０と１つ以上の壁板２０と１つ以上の載板３０とで構成される。隔板１０は、１枚の薄板１１を折り曲げ、上下端にそれぞれ開き口を有する１つの中空状の厚板形状に形成されている。左、右両側に薄板１１を有し、左、右両側の薄板１１の上、底端に相対して端縁１２及び凹端縁１３を有する。薄板１１の上端（端縁１２及び凹端縁１３）の側視形状は凹状に形成されている。薄板１１の底端（薄板１１及び端縁１２）の側視形状は逆凹状に形成されている。且つ、左、右両側の薄板１１の後側端近くに上下に間隔を開けて、相対する嵌入溝１４を有する。
【００１２】
壁板２０は、隔板１０と同じ高さで適当な幅を有する１つの薄板構造で、両側端縁に隔板１０の嵌入溝１４に嵌入することができる突嵌部２１を、間隔を開けて上下に２つずつ有する。これにより、両側面に設置される２つの隔板１０の後側端と連結することができる。
【００１３】
載板３０は、１つの厚板で両側の前後縁にそれぞれ嵌合溝３１を有する。嵌合溝３１は隔板１０の左、右両側の薄板１１の上、底の端縁１２に嵌合できる。また、載板３０の上、或は下面の端部は隔板１０の凹端縁１３に垂直方向に支えられる構造である。載板３０の側端と隔板１０の上、或は下端を嵌合させた時、載板３０の側端と隔板１０の内側の薄板１１の端縁１２が嵌合し、凹端縁１３が載板３０端部を垂直方向に支える構造により嵌合を安定固定させることができる。
【００１４】
２つの隔板１０と、２つの載板３０と、１つの壁板２０とを組み立てる時、嵌合式収納棚を形成することができる。且つ、縦及び横方向の延長が可能な収納棚の構造を提供することができ、実用性を具備するDIY収納棚の構造形態を提供することができる。
【００１５】
図２は、本考案の第２実施例に係る収納棚を組み合わせた状態を示す斜視図である。図３は、本考案の第３実施例に係る収納棚を組み合わせた状態を示す斜視図である。図４は、本考案の第４実施例に係る収納棚を組み合わせた状態を示す斜視図である。図５は、本考案の第５実施例に係る収納棚を組み合わせた状態を示す斜視図である。上記構造により、図２に示すように、多連接、多層の収納棚形態を構成することも可能である。且つ、組み立て及び分解が簡単であり、使用者の目的に合わせ、異なる形状の収納棚（図３、４、５）を簡単に組み立てることができ、実用的DIY収納棚の構造を提供することができる。
【００１６】
図６は、本考案の組合わせ部を示す斜視図である。図７は、本考案の横方向の延長部分を示す斜視図である。図６に示すように、載板３０の嵌合溝３１の幅は、薄板１１の厚さより少しだけ大きくすることにより、隔板１０の薄板１１を嵌合溝３１に嵌合させる時、スムーズに嵌合させることができる。嵌合溝３１と側端との間の幅を、１つの隔板１０の、左右両側における薄板１１間のちょうど半分の距離にすることにより、隔板１０の左右の薄板１１内にもう１つの載板３０の側端部を嵌入させることができ（図７）、横方向の延長が可能である。
【００１７】
また、上、底面に設置されるいくつかの載板３０の内の一番外側に設置される載板３０の外側の角に位置する嵌合溝３１と側端との間の幅は、隔板１０の左右の薄板１１間と同じ距離にすることにより、収納棚の角の美観をよくすることができる（図２）。
【００１８】
また、隔板１０の凹端縁１３を基準とした端縁１２の高さを載板３０の厚さの半分にすることにより、隔板１０に設置した載板３０の嵌合溝３１の端縁１２より突出する半分の嵌合溝３１にもう１つの隔板１０の底端を設置することにより、縦方向の延長が可能になり、上記本考案の収納棚は縦及び横方向の延長が可能となる。
【００１９】
隔板１０と壁板２０と載板３０とからなる構造の本考案は、多連接、多層の収納棚形態を構成することが可能であり、組み立て及び分解が簡単であり、使用者の目的に合わせ、異なる形状の収納棚（図３、４、５）を簡単に組み立てることができ、実用的DIY収納棚の構造を提供することができる。
【００２０】
尚、本考案の収納棚は上記の構成や形状に限定されることなく、本考案の収納棚を変形及び改良した構成においても適応可能である。
【図面の簡単な説明】
【００２１】
【図１】本考案の第１実施例に係る収納棚を示す分解斜視図である。
【図２】本考案の第２実施例に係る収納棚を組み合わせた状態を示す斜視図である。
【図３】本考案の第３実施例に係る収納棚を組み合わせた状態を示す斜視図である。
【図４】本考案の第４実施例に係る収納棚を組み合わせた状態を示す斜視図である。
【図５】本考案の第５実施例に係る収納棚を組み合わせた状態を示す斜視図である。
【図６】本考案の組合わせ部を示す斜視図である。
【図７】本考案の横方向の延長部分を示す斜視図である。
【符号の説明】
【００２２】
１０          隔板
１１          薄板
１２          端縁
１３          凹端縁
１４          嵌入溝
２０          壁板
２１          突嵌部
３０          載板
３１          嵌合溝
【図１】
0003102887.tif 000003
【図２】
0003102887.tif 000004
【図３】
0003102887.tif 000005
【図４】
0003102887.tif 000006
【図５】
0003102887.tif 000007
【図６】
0003102887.tif 000008
【図７】
0003102887.tif 000009